(57)【要約】【課題】建具体を錠装置で閉じ位置に施錠した状態で、その建具体を開方向に移動しようとした時に、その錠装置が破損しないようにした建具とする。【解決手段】建具体２の縦框２３に錠５を取付けると共に、建具枠１の下枠１１に錠受け６を取付けて錠装置４とし、前記錠５は操作部材７で上下動される錠部材８を備え、この錠部材８を下方に移動して錠受け６に係合することで建具体２を閉じ位置で施錠できるようにし、この錠部材８に作用する建具体閉移動方向の外力を縦框２３で直接支持し、その外力が操作部材７に伝わることがなく、その外力で操作部材７が破損して錠装置４が破損することがないようにする。【選択図】図１
2008180025.tif 000002
【特許請求の範囲】
【請求項１】
建具枠に建具体を閉じ位置と開き位置とに亘って移動自在に取付け、
前記建具体の縦框に、操作部材で錠部材を上下に移動する錠を取付け、前記建具枠に、前記錠部材が係合、離脱する錠受けを取付け、この錠と錠受けとで前記建具体の開方向への移動を規制する錠装置とし、
前記錠部材に作用する建具体閉移動方向の外力を、前記操作部材に伝わらないように前記縦框で支持するようにしたことを特徴とする建具。
【請求項２】
錠部材の建具体閉移動方向側の一側部が、縦框の建具体閉移動方向側の一側支持部に接することで、その錠部材に作用する建具体閉移動方向の外力を縦框で支持するようにした請求項１記載の建具。
【請求項３】
錠部材の一側部と縦框の一側支持部が接するとともに、
前記錠部材の建具体開移動方向側の他側部が、縦框の建具体開移動方向側の他側支持部に接することで、その錠部材に作用する建具体閉移動方向の外力を縦框で支持し、
前記錠部材の一側部、他側部と縦框の一側支持部、他側支持部との間にそれぞれ隙間を有し、
操作部材は、縦框に取付けた台座と、この台座に沿って上下に移動するスライダーを備え、
前記スライダーに前記錠部材を、建具体開閉移動方向に移動可能に連結した請求項２記載の建具。
【請求項４】
錠部材の一側部、他側部の一部分に弾性緩衝部材を設け、この弾性緩衝部材が縦框の一側支持部、他側支持部に接するようにした請求項３記載の建具。
【請求項５】
錠は、台座と、この台座に沿って上下に移動するスライダーを備え、
このスライダーの面外方向一側面における上下中央部に錠部材を回転自在に連結した請求項１〜４いずれか１項に記載の建具。
【請求項６】
錠部材の上下方向中間部において建具体開閉移動方向に突出した突出部によって前記一側部、他側部を構成し、
縦框には中空部が形成されて、中空部内を形成する面の内、建具体開閉移動方向と直交する面によって前記一側支持部、他側支持部を構成した請求項２〜５いずれか１項に記載の建具。
【発明の詳細な説明】
【技術分野】
【０００１】
本発明は、建具枠に建具体を開閉自在に取付けた建具に関する。
【背景技術】
【０００２】
従来、建具枠に建具体を開閉自在に取付けた建具においては、防犯等のために建具体を閉じ位置で施錠、解錠する錠装置を備えている。
例えば、特許文献１に錠装置を備えた建具が開示されている。
この建具は、建具体の縦框に係止具を把手（操作部材）で上下に移動操作できるように設け、建具枠の下枠の突条レールの端部を切欠きし、建具体が閉じ位置の時に係止具を下方に移動することで突条レールの端部に接して施錠し、上方に移動すると突条レールの端部から離れて解錠するようにしてある。
【特許文献１】実公平４−４６０３９号公報
【発明の開示】
【発明が解決しようとする課題】
【０００３】
前述した建具であれば、建具体を閉じ位置で錠によって施錠することで、その建具体を開き方向移動できないようにできる。
しかし、前述のように施錠した状態で建具体を誤って開き方向に移動すると係止具に建具体閉移動方向の外力が作用し、その係止具を縦框に上下動自在に支持している部材が破損し、錠装置が破損する恐れがある。
【０００４】
本発明の目的は、施錠状態で建具体を開方向に移動しようとした時に、その錠装置が破損することがないようにした建具を提供することである。
【課題を解決するための手段】
【０００５】
本発明は、建具枠に建具体を閉じ位置と開き位置とに亘って移動自在に取付け、
前記建具体の縦框に、操作部材で錠部材を上下に移動する錠を取付け、前記建具枠に、前記錠部材が係合、離脱する錠受けを取付け、この錠と錠受けとで前記建具体の開方向への移動を規制する錠装置とし、
前記錠部材に作用する建具体閉移動方向の外力を、前記操作部材に伝わらないように前記縦框で支持するようにしたことを特徴とする建具である。
【０００６】
本発明においては、錠部材の建具体閉移動方向側の一側部が、縦框の建具体閉移動方向側の一側支持部に接することで、その錠部材に作用する建具体閉移動方向の外力を縦框で支持するようにできる。
このようにすれば、錠部材に作用した建具体閉移動方向の外力を縦框で確実に支持することができる。
【０００７】
本発明においては、錠部材の一側部と縦框の一側支持部が接するとともに、
前記錠部材の建具体開移動方向側の他側部が、縦框の建具体開移動方向側の他側支持部に接することで、その錠部材に作用する建具体閉移動方向の外力を縦框で支持し、
前記錠部材の一側部、他側部と縦框の一側支持部、他側支持部との間にそれぞれ隙間を有し、
操作部材は、縦框に取付けた台座と、この台座に沿って上下に移動するスライダーを備え、
前記スライダーに前記錠部材を、建具体開閉移動方向に移動可能に連結することができる。
このようにすれば、錠部材は縦框に沿ってスムーズに上下に移動すると共に、錠部材に建具体開閉移動方向の外力が作用した時に、その錠部材はスライダーに対して移動して一側部、他側部が一側支持部、他側支持部に接するので、スライダーに外力が伝わることがない。
したがって、錠装置で建具体を施錠、解錠操作する時には、操作部材のスライダーを軽い力で上下に移動すれば良く、その操作が容易である。
しかも、錠部材に前述の外力が作用した時に錠装置が破損することがない。
【０００８】
本発明においては、前述のようにした場合に、錠部材の一側部、他側部の一部分に弾性緩衝部材を設け、この弾性緩衝部材が縦框の一側支持部、他側支持部に接するようにできる。
このようにすれば、建具体を開閉移動する時や施錠、解錠する時等に施錠部材が振れ動いて一側支持部、他側支持部に衝突して音を発生することがない。
【０００９】
本発明においては、錠は、台座と、この台座に沿って上下に移動するスライダーを備え、
このスライダーの面外方向一側面における上下中央部に錠部材を回転自在に連結することができる。
このようにすれば、錠部材を上下反転するだけで左右勝手違いに対応することができる。
【００１０】
本発明においては、錠部材の上下方向中間部において建具体開閉移動方向に突出した突出部によって前記一側部、他側部を構成し、
縦框には中空部が形成されて、中空部内を形成する面の内、建具体開閉移動方向と直交する面によって前記一側支持部、他側支持部を構成することができる。
このようにすれば、錠部材を操作部材で上下操作する際の摺動抵抗が小さくなる。
また、錠部材に作用する外力を受ける縦框の面が中空部の構成面であるため、強度が高くなり、縦框の変形を防止することができる。
【発明の効果】
【００１１】
本発明によれば、錠部材に作用する建具体閉移動方向の外力は縦框で支持され、操作部材に伝わることがない。
したがって、錠部材を錠受けに係合した施錠状態で建具体を開方向に移動しようとした時に、その錠部材に作用する建具体閉移動方向の外力によって錠装置が破損することがない。
【発明を実施するための最良の形態】
【００１２】
図１に示すように、建具枠１に建具体２が閉じ位置と開き位置に亘って移動できるように取付けることで、建具枠１に建具体２を開閉自在に取付けた建具としてある。
図１に示す実施の形態では、建具枠１は上枠１０と下枠１１と左右一方の縦枠１２と左右他方の縦枠１３を方形状に連結してある。
前記建具体２は上框２０と下框２１と左右一方の縦框２２と左右他方の縦框２３を方形状に連結し、その内部にガラス２４を装着してある。
前記建具体２は、一方の縦框２２が一方の縦枠１２に接した図示の閉じ位置と、他方の縦枠１３寄りの開き位置とに亘って上枠１０、下枠１１の長手方向に移動するように建具枠１の室内側部に取付けてある。
前記建具枠１の他方の縦枠１３側の室外側部には固定建具体３が固定して取付けてある。
これによって、図１に示す建具は内動片引き窓である。
【００１３】
前記建具体２の縦框、例えば左右他方の縦框２３と、建具枠１、例えば下枠１１と亘って錠装置４が取付けてある。
この錠装置４は、前記他方の縦框２３の下部寄りに取付けた錠５と、前記下枠１１に設けた錠受け６を備えている。
前記錠５は、操作部材７と、その操作部材７で上下方向に移動操作される錠部材８を備えている。
前記錠部材８が図示の上方の位置であると錠受け６と離隔した解錠状態となる。
前記建具体２を閉じ位置として前記錠部材８を下方の位置とすると錠受け６に係合して施錠状態となる。
このようであるから、建具体２を閉じ位置で施錠、解錠することができる。
【００１４】
前記錠部材８を錠受け６に係合した施錠状態のままで、建具体２を誤って開方向に移動すると、錠部材８の下端部が錠受け６によって開方向に移動できないので、前記錠部材８には、矢印ａで示すように建具体閉移動方向の外力が作用する。
この外力が操作部材７に伝わり、その操作部材７で支持すると、その操作部材７が破損して錠５が破損する恐れがある。
【００１５】
そこで、本発明では、前記錠部材８に作用する建具体閉移動方向の外力を、前記他方の縦框２３で直接支持できるようにしてある。
これによって、錠装置４で建具体２を施錠した状態で、その建具体２を開方向に移動しようとした時に、その錠装置４の錠５（操作部材７）が破損することがないようにできる。
【００１６】
例えば、前記他方の縦框２３を、一側支持部２３ｂ（建具体閉移動方向側の支持部）と、他側支持部２３ａ（建具体開移動方向側の支持部）を有する形状とし、その一側支持部２３ｂと他側支持部２３ａとの間に、前記錠部材８を上下動自在に設ける。
前記錠部材８の一側部８ｂ（建具体閉移動方向側の側部）と、他側部８ａ（建具体開移動方向側の側部）との間の寸法（つまり、建具体開閉移動方向の寸法）Ｈ１を、前記他方の縦框２３の一側支持部２３ｂと他側支持部２３ａとの間の寸法（つまり、建具体開閉移動方向の寸法）Ｈ２と略同一とする。
【００１７】
これによって、錠部材８に建具体閉移動方向の外力が作用した時に、その錠部材８の他側部８ａの上部寄りが他方の縦框２３の他側支持部２３ａに当接し、一側部８ｂの下部寄りが一側支持部２３ｂに当接するので、錠部材８に作用する前述の外力を他方の縦框２３で支持することができる。
なお、錠部材８の一側部８ｂが縦框２３の一側支持部２３ｂに接することで前述の外力を支持することもできる。
【００１８】
前記錠装置４は他方の縦框２３と上枠１０とに亘って取付けしても良い。例えば、錠５を他方の縦框２３の上部寄りに取付け、錠受け６を上枠１０に取付ける。
前記錠装置４は一方の縦框２２と下枠１１とに亘って取付けしても良い。例えば、錠５を一方の縦框２２の下部寄りに取付け、錠受け６を下枠１１に取付ける。
前記錠装置４は一方の縦框２２と上枠１０とに亘って取付けしても良い。例えば、錠５を一方の縦框２２の上部寄りに取付け、錠受け６を上枠１０に取付ける。
要するに、開閉移動する建具２の縦框に錠５を取付け、建具枠１に錠受け６を取付ければ良い。
【００１９】
次に、各部材の具体形状を図２〜図４に基づいて説明する。
前記建具体２は図２、図３に示すように建具枠１の面外方向一側部（室内側部）に設けてあり、前記固定建具体３は建具枠１の面外方向他側部（室外側部）に設けてある。
前記建具体２は下枠１１の面外方向一側部の下レール１４に沿って面内方向に開閉移動する。、
前記固定建具体３は、上枠１０、下枠１１の面外方向他側部における面内方向（長手方向）中間部に固定した縦框３１と、上枠１０、下枠１１、他方の縦枠１３の面外方向他側部とに亘ってガラス３２を装着してある。
前記他方の縦框２３は中空部２５を有していると共に、下部摺動片２６が取付けてある。
【００２０】
前記錠５の操作部材７は台座４０と、この台座４０に沿って移動するスライダー４１と、このスライダー４１に連結したつまみ４２を備えている。
前記錠５の錠部材８は、操作部材７のスライダー４１に連結してある。
前記台座４０、スライダー４１、錠部材８は他方の縦框２３の中空部２５内に設けてあり、前記つまみ４２は他方の縦框２３の面内方向外側面（開閉方向開側面）２３ｃよりも外側に突出し、そのつまみ４２を持って上下に移動操作するとスライダー４１が上下に移動するようにしてある。
前記錠部材８は他方の縦框２３の中空部２５内に沿って上下に移動し、その中空部２５の面内方向一側内面２５ｂが前述の一側支持部２３ｂで、面内方向他側内面２５ａが前述の他側支持部２３ａである。
つまり、縦框２３の中空部２５内を形成する面の内、建具体開閉移動方向と直交する面によって前記一側支持部２３ｂ、他側支持部２３ａを構成している。
このようにすることで、錠部材８に作用する外力を受ける縦框２３の面が中空部（ホロー部）２５の構成面であるから、強度が高くなり、縦框２３の変形を防止することができる。
【００２１】
前記錠部材８の一端がスライダー４１に連結され、他端部が受け部６に係合する。
図２と図４に示すように、下枠１１の上面板１１ａにおける下レール１４よりも面外方向一側寄りに切欠部５０を、前記錠部材８と対向して形成し、その切欠部５０に受け金具５１をビス５２で取付けて前述の受け部６としてある。前記ビス５２はビスカバー５３で覆ってある。
【００２２】
図４に実線で示す上方位置のつまみ４２を手で持って仮想線で示す下方位置に移動すると、スライダー４１とともに錠部材８が実線で示す上方位置から仮想線で示す下方位置に移動し、その錠部材８の他端部が下部摺動片２６の切欠部２６ａ、上面板１１ａの切欠部５０を通って受け金具５１の凹部５１ａ内に嵌まり込んで係合するようにしてある。
【００２３】
前記錠部材８の建具体開閉移動方向の寸法Ｈ１は、前記他方の縦框２３の一側支持部２３ｂと他側支持部２３ａとの間の寸法Ｈ２よりも小さく、他方の縦框２３の一側支持部２３ｂ（面内方向一側内面２５ｂ）と錠部材８の一側部８ｂとの間及び他側支持部２３ａ（面内方向他側内面２５ａ）と他側部８ａとの間に隙間がある。
これによって、錠部材８はスムーズに上下方向に移動することができる。
【００２４】
前記錠部材８の一端部はスライダー４１に図５〜図７に示すように、建具体開閉移動方向に移動可能に連結してある。
例えば、スライダー４１に設けたピン４３を錠部材８に形成した建具体開閉方向に向かう長孔４４に嵌合し、その長孔４４がピン４３に沿って摺動することで錠部材８がスライダー４１に対して建具体開閉移動方向に移動できるようにしてある。
【００２５】
このようであるから、錠部材８の他端部が受け部６（受け金具５１の凹部５１ａ）に係合した施錠状態で、建具体２を開方向に移動して錠部材８に建具体閉方向の外力が作用した時に、前述の隙間のために錠部材８が他方の縦框２３に対して建具体開閉移動方向に移動するが、その錠部材８の移動によってスライダー４１が移動することがないので、前述の外力がスライダー４１に伝わることがない。
【００２６】
したがって、錠装置４を施錠、解錠操作する時には操作部材７（つまみ４２）を軽い力で上下に移動操作することによって、錠部材８を施錠位置と解錠位置にスムーズに移動でき、その操作が容易である。
しかも、錠装置４で建具体２を施錠した状態で、その建具体２を開方向に移動した時に、錠部材８に作用する外力は他方の縦框２３で支持し、スライダー４１には伝わることがないので、錠５（錠装置４）が破損することがない。
【００２７】
前述のように、錠部材８と一側支持部２３ｂ、他側支持部２３ａとの間に隙間があると共に、錠部材８がスライダー４１に対して建具体開閉移動方向に移動可能であると、建具体２を開閉移動する時や施錠、解錠操作する時等に錠部材８が振れ動いて一側支持部２３ｂ、他側支持部２３ａに衝突して音が発生することがある。
このことを解消するために、錠部材８の一側部８ｂ、他側部８ａの一部分に弾性緩衝部材を設け、この弾性緩衝部材が一側支持部２３ｂ、他側支持部２３ａに接して錠部材８が振れ動かないようにして前述の音が発生しないようにし、錠部材８に外力が作用した時には弾性緩衝部材が弾性変形して一側部８ｂ、他側部８ａが一側支持部２３ｂ、他側支持部２３ａに接するようにする。
【００２８】
例えば、図４に示すように、錠部材８にＯリング９を装着し、そのＯリング９が錠部材８の一側部８ｂ、他側部８ａよりも張り出すようにする。
これによって、Ｏリング９が他方の縦框２３の一側支持部２３ｂ、他側支持部２３ａに接し、錠部材８の一側部８ｂ、他側部８ａと前記一側支持部２３ｂ、他側支持部２３ａとの間に隙間が生じる。
また、錠部材８に前述の外力が作用した時にはＯリング９が押しつぶされて一側部８ｂ、他側部８ａと一側支持部２３ｂ、他側支持部２３ａが接する。
【００２９】
前記錠５の具体形状を図４〜図７に基づいて説明する。
前記台座４０は角筒形状のスライダーガイド部４０ａと、このスライダーガイド部４０ａの一側面における上下・左右にそれぞれ設けた板状の取付部４９ｂを備え、そのスライダーガイド部４０ａの一側面に開口部４０ｃが形成してある。
前記他方の縦框２３に取付用穴２３ｄを、中空部２５に開口して形成し、その取付用穴２３ｄからスライダーガイド部４０ａを中空部２５に挿入し、各取付部４０ｂを他方の縦框２３の面内方向外側面２３ｃに接し、ビス４５で固着して取付けてある。このビス４５はビスカバー４０ｄで覆われている。
【００３０】
前記スライダー４１は、スライダーガイド部４０ａ内に摺動自在に嵌合して取付けられ、その一側面４１ａにつまみ取付用の穴４１ｄが形成されている。
前記つまみ４２は取付用の突片４２ａを有し、その突片４２ａを、前記スライダーガイド部４０ａの開口部４０ｃから前記穴４１ｄに嵌合することでつまみ４２をスライダー４１の一側面４１ａに着脱自在に取付けてある。
前記スライダー４１の他側面４１ｂには位置決め用の突起４６が設けてあり、この突起４６がスライダーガイド部４０ａに形成した第１位置決め孔４７ａに嵌合することで錠部材８を解錠位置に保持し、前記突起４６が第２位置決め孔４７ｂに嵌合することで錠部材８を施錠位置に保持できるようにしてある。
なお、前記突起４６が第１・第２位置決め孔４７ａ，４７ｂに嵌合した状態で、スライダー４１に上下方向の力が作用すると突起４６が第１・第２位置決め孔４７ａ，４７ｂから抜け出すようにしてある。
【００３１】
このようであるから、つまみ４２を手で持って上下に移動することでスライダー４１がスライダーガイド部４０ａに沿って上下に移動し、その位置決め用の突起４６が第１位置決め孔４７ａに嵌合することで錠部材８を解錠位置に保持できるし、前記突起４６を第２位置決め孔４７ｂに嵌合することで錠部材８を是錠位置に保持できる。
【００３２】
前記錠部材８は上下方向中央部において建具体開閉移動方向に突出した突出部を有し、その突出部によって前記一側部８ｂ、他側部８ａを構成している。
例えば、前記錠部材８は長手方向中間部が幅広く、長手方向一端部と他端部が幅狭い長尺の板状で、その幅広い部分が前述の突出部で、その幅広い部分の幅方向両端面を前述の一側部８ｂ、他側部８ａとしてある。
このようにすることで、錠部材８を操作部材７で上下操作する際の摺動抵抗が小さくなる。
【００３３】
また、前記錠部材８は長手方向中間部がコ字形状の折曲してあり、その長手方向一端部がスライダー４１に連結され、長手方向他端部が受け部６に係合するようにしてある。
これは、図２に点線で示すように他方の縦框２３の中空部２５内に下框連結用のビス２７等の部品があり、この部品と錠部材８が干渉しないようにするためである。
なお、前述のビス２７等の部品と錠部材８が干渉しないのであれば、錠部材８は真っ直ぐの板状としても良い。
【００３４】
前記建具体２は図１に示すように、左右他方の縦枠１３に向けて面内方向に移動することで開き位置となるので、錠５を他方の縦框２３に取付けてあるが、建具体２が左右一方の縦枠１２に向けて面内方向に移動することで開き位置となる場合には、前記錠５を左右一方の縦框２２に取付けることになる。
このためには、図５に示す錠５を矢印ｂで示すように、左右方向に１８０度回転（左右反転）して一方の縦框２２に取付ければ良い。つまり、左右勝手違いに取付ける。
しかし、錠部材８はスライダー４１の面外方向一側面（室内側面）４１ｃに取付けてあり、その錠部材８は錠５の面外方向一側寄りであるので、前述のように錠５を左右勝手違いに取付けると、錠部材８が面外方向他側寄りとなって錠受け６と面外方向の位置がずれてしまうから、前述の錠部材８をそのままで左右勝手違いに取付けできない。
【００３５】
そこで、本発明では台座４０とスライダー４１を上下反転して取付けできると共に、スライダー４１の面外方向一側面４１ｃの上下中央部に錠部材８を回転自在に取付け、図６の矢印ｃで示すように台座４０及びスライダー４１を反時計回りに回転することで、錠部材８と錠受け６とが面外方向に位置ずれせずに錠５を左右勝手違いに取付けできるようにした。
つまり、錠部材８を図６に示す下向きの姿勢のままで、台座４０、スライダー４１を前述のように回転するので、錠５を左右勝手違いに取付けできる。
【００３６】
この実施の形態では、スライダー４１の面外方向一側面４１ｃに錠部材８を取付けた状態で、そのスライダー４１を台座４０に挿入、抜き出し自在としてある。
例えば、図５に示すように、台座４０のスライダーガイド部４０ａの面外方向一側部分４０ａ−１と、スライダー４１の面外方向一側面４１ｃとは離隔して両者の間に隙間４８が形成してある。
この隙間４８はスライダーガイド部４０ａの開口部４９で外方に開口し、スライダー４１の面外方向一側面４１ｃに前記錠部材８の長手方向一側部分を連結した状態でスライダー４１をスライダーガイド部４０ａに挿入、抜き出し自在としてある。
また、前述のようにすることで、錠部材８は台座４０、スライダー４１に対して上下方向に１８０度回転できるから、前述したように錠部材８を下向きの姿勢のままで台座４０とスライダー４１を前述のように回転できる。
【００３７】
前記受け金具５１は図４、図８に示すように、コ字状片５１ｂの両端部に一対の取付片５１ｃを一体に設けた形状で、その取付片５１ｃを下枠１１の上面板１１ａの下面にビス５２で固着して取付けてあり、そのコ字状片５１ｂが上面板１１ａの切欠部５０と対向している。
前記ビスカバー５３は切欠部５３ａと一対の取付突片５３ｂを有し、その一対の取付突片５３ｂを上面板１１ａの一対の孔５４に嵌合して取付けてある。
【００３８】
前述の実施の形態では、他方の縦框２３の中空部２５内に錠部材８を設け、その中空部２５の面内方向一側内面２５ｂ、面内方向他側内面２５ａを一側支持部２３ｂ、他側支持部２３ａとしたが、これに限ることはない。
例えば、縦框に一対の縦片を面内方向に間隔を置いて長手方向に亘って一体的に設け、その一対の縦片間に錠部材８を設けることで、その一対の縦片の対向面を一側支持部２３ｂ、他側支持部２３ａとする。
【００３９】
前記錠部材８は縦板状で、その幅方向が建具開閉移動方向に向かうように設けてあるが、この錠部材８は断面円形、断面矩形などの棒状、又は中空の棒状としても良い。
【００４０】
前述の実施の形態では、建具を内動片引き窓としたが、これに限ることはない。
例えば、外動片引き窓、引き違い窓、外開き窓、内開き窓、ドア（引戸、開き戸）等でも良い。
【図面の簡単な説明】
【００４１】
【図１】本発明の実施の形態を示す建具の概略内観図である。
【図２】図１のＡ−Ａ拡大詳細断面図である。
【図３】図１のＢ−Ｂ拡大詳細断面図である。
【図４】図２のＣ−Ｃ拡大断面図である。
【図５】錠の平面図である。
【図６】錠の側面図である。
【図７】錠の分解斜視図である。
【図８】錠受けの分解斜視図である。
【符号の説明】
【００４２】
１…建具枠、２…建具体、４…錠装置、５…錠、６…錠受け、７…操作部材、８…錠部材、８ａ…他側部、８ｂ…一側部、９…Ｏリング（弾性緩衝部材）、２３…他方の縦框、２３ａ…他側支持部、２３ｂ…一側支持部、４０…台座、４１…スライダー、４１ｃ…面外方向一側面、４２…つまみ、５０…切欠部、５１…受け金具。
【図１】
2008180025.tif 000003
【図２】
2008180025.tif 000004
【図３】
2008180025.tif 000005
【図４】
2008180025.tif 000006
【図５】
2008180025.tif 000007
【図６】
2008180025.tif 000008
【図７】
2008180025.tif 000009
【図８】
2008180025.tif 000010